(57)【要約】【課題】肘掛け本体３と、肘掛け本体３の下方に位置する固定板４と、肘掛け本体３に対して固定板４を昇降させる締付機構とを備え、机の天板２を肘掛け本体３と固定板４とで挟み込んで締付機構で締め付けることにより天板２の前端部に取付けられる肘掛け台１において、引出し内の収納物を容易に取り出すことができるようにする。【解決手段】肘掛け本体３は、天板２の上面に当接する上面当接部３１と、天板２から突出する本体突出部３２とを備え、固定板４は、天板２の下面に当接する下面当接部４１と、天板２から突出する固定突出部４３とを備え、締付機構３ｂ，５，７は、締付状態時に、肘掛け本体３の上面が存する平面と下面当接部４１の下面が存する平面との間の空間内に収まり、本体突出部３２は、上面当接部３１と一体の後方部３３と、後方部３３の先端に上方へ揺動自在に連結された前方部３４とを備える。【選択図】図２
0003141877.tif 000002
【実用新案登録請求の範囲】
【請求項１】
肘を載せる肘掛け本体と、肘掛け本体の下方に位置する固定板と、肘掛け本体と固定板とを連結し肘掛け本体に対して固定板を昇降させる締付機構とを備え、机の天板を肘掛け本体と固定板とで挟み込んで締付機構で締め付けることにより天板の前端部に取付けられる肘掛け台において、
肘掛け本体は、板状であり、天板の上面に当接する上面当接部と、天板の前方縁から突出する本体突出部とを備え、
固定板は、天板の下面に当接する下面当接部と、天板の前方縁から突出する固定突出部とを備え、
締付機構は、天板を上面当接部と下面当接部とにより挟み込んで締め付けた締付状態のときに、肘掛け本体の上面が存する平面と下面当接部の下面が存する平面との間の空間内に収まるように構成され、
本体突出部は、上面当接部と一体の後方部と、後方部の先端に上方へ揺動自在に連結された前方部とを備えることを特徴とする肘掛け台。
【請求項２】
請求項１記載の肘掛け台において、
前記固定突出部に、前記締付機構よりも前記天板の前方縁から離隔させた箇所に位置させて、ネジ孔を設け、
このネジ孔に螺着され、前記後方部の下面に当接することにより、前記本体突出部と前記固定突出部とが、前記上面当接部と前記下面当接部との間の距離が前記天板の板厚となる所定の間隔を超えて接近することを阻止する阻止ネジを備えることを特徴とする肘掛け台。
【考案の詳細な説明】
【技術分野】
【０００１】
本考案は、机の天板に取り付けられる肘掛け台に関する。
【背景技術】
【０００２】
従来、机の天板の前端部に取り付けられる取付部材と、取付部材に水平方向へ回転可能に取り付けられた第１アームと、第１アームの先端に水平方向へ回転可能に取り付けられた第２アームと、第２アームの先端に水平方向に回転可能に取り付けられた肘掛け部とで構成される肘掛け台が知られている（例えば、特許文献１参照）。
【０００３】
特許文献１の肘掛け台の取付部材は、天板上面に当接する上面当接部を有する取付部材本体と、取付部材本体の下方に位置し、天板下面に当接する下面当接部を有する固定板と、取付部材本体を貫通して固定板のネジ孔に螺着されるネジとで構成される。
【０００４】
このように構成することにより、ネジ等が下面当接部よりも下方に突出しないため、引出しを備える机の天板の前端部に取り付けても引出しを引き出すことができる。
【特許文献１】実用新案登録第３０７７７７０号公報
【考案の開示】
【考案が解決しようとする課題】
【０００５】
従来の肘掛け台は部品点数が多く製造コストが嵩む為、これを簡易化したものとして、水平方向へ回転可能な第１アームと第２アームとを省き、肘掛け部を板状として取付部材本体と一体化した簡易型の肘掛け台が考えられる。
【０００６】
簡易型の肘掛け台においては、肘掛け部を板状とし、取付部材本体と一体化しているため、机の引出しを引き出した際に、肘掛け部が引出しの真上に位置することとなる。このため、肘掛け部が邪魔となり、引出しの中の収納物を取り出し難いという問題がある。
【０００７】
本考案は、机の引出し内の収納物を容易に取り出すことができる肘掛け台を提供することを目的とする。
【課題を解決するための手段】
【０００８】
上記目的を達成するため、本考案は、肘を載せる肘掛け本体と、肘掛け本体の下方に位置する固定板と、肘掛け本体と固定板とを連結し肘掛け本体に対して固定板を昇降させる締付機構とを備え、机の天板を肘掛け本体と固定板とで挟み込んで締付機構で締め付けることにより天板の前端部に取付けられる肘掛け台において、肘掛け本体は、板状であり、天板の上面に当接する上面当接部と、天板の前方縁から突出する本体突出部とを備え、固定板は、天板の下面に当接する下面当接部と、天板の前方縁から突出する固定突出部とを備え、締付機構は、天板を上面当接部と下面当接部とにより挟み込んで締め付けた締付状態のときに、肘掛け本体の上面が存する平面と下面当接部の下面が存する平面との間の空間内に収まるように構成され、本体突出部は、上面当接部と一体の後方部と、後方部の先端に上方へ揺動自在に連結された前方部とを備えることを特徴とする。
【０００９】
本考案によれば、天板を上面当接部と下面当接部とにより挟み込んで締付機構で締め付けた締付状態のときに、締付機構が、肘掛け本体の上面が存する平面と下面当接部の下面が存する平面との間の空間内に収まるため、肘掛け台を天板に取り付けたときに、締付機構が下面当接部の下方に突出せず、又、肘掛け本体の上方にも突出しない。従って、引出し付の机に本考案の肘掛け台を取付けても、肘掛け台が邪魔することなく引出しを引出すことができる。
【００１０】
又、本体突出部の前方部が後方部に対して上方へ揺動自在に設けられているため、引出し内の収納物を取り出す際に、前方部を上方に揺動させることにより、肘掛け本体が邪魔することなく引出し内の収納物を容易に取り出すことができる。
【００１１】
本考案においては、固定突出部に、締付機構よりも天板の前方縁から離隔させた箇所に位置させて、ネジ孔を設け、このネジ孔に螺着され、後方部の下面に当接することにより、本体突出部と固定突出部とが、上面当接部と下面当接部との間の距離が天板の板厚となる所定の間隔を超えて接近することを阻止する阻止ネジを設けることが好ましい。
【００１２】
かかる構成によれば、阻止ネジが本体突出部の後方部の下面に当接することにより、本体突出部と固定突出部とが、上面当接部と下面当接部との間の距離が机の天板の板厚となる所定の間隔を超えて接近することが阻止される。このため、上面当接部及び下面当接部が天板の側縁に接触する部分を支点として天板から浮き上がることを防止し、確実に肘掛け台を机の天板に固定させることができる。
【００１３】
又、阻止ネジは、固定突出部のネジ孔に螺着されているため、回転させることにより、固定突出部の上方への突出量を微調整することができる。これにより、天板の厚さが若干異なる机においても阻止ネジを交換させることなく対応させることができ、汎用性を向上させることができる。
【００１４】
又、阻止ネジの先端を後方部の下面に当接させる構造を採用しているため、肘掛け本体の上面が存する平面と下面当接部の下面が存する平面との間の空間内を有効活用して、阻止ネジの下端部にハンドル等の把持部を設けることができる。これにより、使用者が工具を用いることなく、阻止ネジを容易に回転して、天板の板厚に対応するように容易に本体突出部と固定突出部との間隔を微調整することができる。
【考案を実施するための最良の形態】
【００１５】
図１、図２を参照して、本考案の肘掛け台の実施形態を説明する。尚、図１においては、紙面上下方向を横方向、紙面左右方向を前後方向、紙面垂直方向を上下方向と定義して説明する。又、図２においては、紙面上下方向を上下方向、紙面左右方向を前後方向、紙面垂直方向を横方向と定義して説明する。
【００１６】
図中、１は肘掛け台である。肘掛け台１は、机の天板２の前端部に取り付けられるものであり、板状でスチール製の肘掛け本体３とスチール製の固定板４とを備える。図２に示すように、肘掛け本体３の下面には下方へ延びるガイド板３ａが溶接されている。このガイド板３ａを境界線として、肘掛け本体３の、天板２側に位置する部分が天板２の上面に当接する上面当接部３１であり、反対側の部分が肘掛け台１を天板２に取り付けた際に天板２から突出する本体突出部３２である。又、ガイド板３ａを天板２の前方縁に当接させることにより、肘掛け本体３が天板２に対して位置決めされる。
【００１７】
本体突出部３２は、上面当接部３１と一体の後方部３３と、後方部３３の先端にヒンジ３４ａを介して揺動自在に連結された前方部３４とを備える。後方部３３の下面には先方へ突出する一対の支持片３３ａが設けられ、この支持片３３ａ，３３ａにより前方部３４が水平状態を維持するように下方から支えられる。これにより、前方部３４は上方へのみ揺動自在となる。
【００１８】
本体突出部３２の後方部３３の下面には、上面当接部３１側に位置させて一対の支持ナット３ｂが溶接されている。支持ナット３ｂには、天板２の厚さに対応する長さの棒状ネジ５が着脱自在に螺着されている。天板２の厚さは机によって異なることがあるため、天板２の厚さに応じて適切な長さの棒状ネジ５を支持ナット３ｂに螺着させることにより肘掛け台１を天板２に取り付けた際に棒状ネジ５が固定板４の最下端より下方へ突出することを防止できる。このため、引出し付の机に肘掛け台１を取り付けても、棒状ネジ５が邪魔とならず引出しを引き出すことができる。尚、棒状ネジ５の下端部に、マイナス溝等の工具と接続自在な接続部を設け、棒状ネジ５を工具で容易に支持ナット３ｂに螺着することができるようにしてもよい。
【００１９】
固定板４は、天板２の下面に当接する下面当接部４１を備える。下面当接部４１の前端縁は上方に向かって延びる起立部４２が連設されている。起立部４２の前面には、下面当接部４１の下面に対し後述する蝶ナット７の上下方向の長さ以上の上方の位置から、前方へ向かって延びる固定突出部４３が溶接されている。固定突出部４３には、支持ナット３ｂに対応する一対の貫通孔４３ａが棒状ネジ５を挿通自在に形成されている。固定突出部４３の上面には、各貫通孔４３ａに対応させて、内径が棒状ネジ５の径よりも大きい筒状体６が溶接されている。
【００２０】
又、棒状ネジ５の下端部には、筒状体６の下方に位置させて蝶ナット７が着脱自在に螺着されている。実施形態の肘掛け台１においては、支持ナット３ｂ、及び棒状ネジ５、蝶ナット７により締付機構が構成される。
【００２１】
蝶ナット７を用いることにより、使用者は工具を使用することなく手で蝶ナット７を回すことができ、着脱作業が容易となる。これにより、例えば、特定の使用者が定められていない企業の机や、図書館などの自習室の机などで、肘掛け台１を用いる場合のように、天板の厚さが同一である同種の机を利用するものの、使用の都度、異なる場所の机を利用するため、その都度、着脱作業を要するような環境下で用いる場合であっても、一度、棒状ネジ５の長さを天板に合わせれば、その後は蝶ナット７を回すだけで着脱できるようになり、手軽に使用することができる。
【００２２】
又、固定突出部４３には、締付機構よりも天板２の前方縁から離隔させた箇所、即ち、貫通孔４３ａ，４３ａよりも天板２の前方縁から離隔させた箇所に位置させてネジ穴４３ｂが形成されている。ネジ穴４３ｂには、棒状の阻止ネジ８が螺着されている。阻止ネジ８の下端部には、径方向に貫通する孔部８ａが形成され、この孔部８ａには、棒状のハンドル８１が摺動自在に挿通されている。ハンドル８１の両端部には、孔部８ａから抜け落ちることを防止する抜止部８１ａが設けられている。又、本体突出部３２及び揺動部３３の周縁はゴム等の弾性材料９で覆われている。
【００２３】
実施形態の肘掛け台１を机の天板２に取り付ける際には、まず、天板２の厚さに対応する長さの棒状ネジ５及び阻止ネジ８を選択し、選択した棒状ネジ５を各支持ナット３ｂに螺着し、選択した阻止ネジ８をネジ穴４３ｂに螺着する。そして、各棒状ネジ５を、対応する固定板４の貫通孔４３ａ及び筒状部６に挿入する。そして、各棒状ネジ５に蝶ナット７を螺着させる。
【００２４】
そして、天板２を肘掛け本体３の上面当接部３１と固定板４の下面当接部４１とで上下方向から挟み込むようにして肘掛け本体３の上面当接部３１を天板２の上面に当接させると共に、ガイド板３ａを天板２の前端縁に当接させる。そして、蝶ナット７を回して固定板４を肘掛け本体３に対して上昇させ仮止めした後、ハンドル８１を回して、阻止ネジ８の上端を本体突出部３２の後方部３３の下面にヒンジ３４ａを介して当接させる。そして、両蝶ナット７を締め付けることにより、天板２を上面当接部３１と下面当接部４１とで上下方向から挟み込み、肘掛け台１が天板２の前端部に取り付けられる。
【００２５】
この天板を上面当接部と下面当接部とにより挟み込んで締付機構で締め付けた締付状態のときには、蝶ナット７の上端は固定板４の固定突出部４３の下面に当接しており、蝶ナット７は、固定板４の固定突出部４３の下面が存する平面と下面当接部４１の下面が存する平面との間の空間に収まる。又、棒状ネジ５は、天板２の厚さに対応する長さのものを選択して支持ナット３ｂに螺着しているため、締付状態のときに下面当接部４１よりも下方に突出しない。従って、締付状態においては、支持ナット３ｂ、棒状ネジ５、蝶ナット７で構成される締付機構が、肘掛け本体３の上面が存する平面と、下面当接部４１の下面が存する平面との間の空間内に収まることとなる。
【００２６】
実施形態の肘掛け台１によれば、肘掛け台１を天板２に取り付けたときに、締付機構としての支持ナット３ｂ、及び棒状ネジ５、蝶ナット７が、肘掛け本体３の上面が存する平面と下面当接部４１の下面が存する平面との間の空間内に収まる。このため、締付機構の棒状ネジ５や蝶ナット７が下面当接部４１の下方に突出せず、引出し付の机に本考案の肘掛け台１を取付けても、肘掛け台１が邪魔することなく引出しを引出すことができると共に、使用者の膝や太股などが棒状ネジ５や蝶ナット７にぶつかり使用者に不快感を与える虞を防止することができる。
【００２７】
又、本体突出部３２の前方部３４が後方部３３に対して上方へ揺動自在に設けられているため、引出し内の収納物を取り出す際に、前方部３４を上方に揺動させて収納物を取り出すことができる。このため、肘掛け本体３が邪魔することなく引出し内の収納物を容易に取り出すことができる。
【００２８】
又、阻止ネジ８が本体突出部３２の後方部３３の下面にヒンジ３４ａを介して当接することにより、本体突出部３２と固定突出部４３とが、上面当接部３１と下面当接部４１との間の距離が机の天板２の板厚となる所定の間隔を超えて接近することが阻止される。このため、上面当接部３１及び下面当接部４１が天板２の前方縁を支点として天板２から浮き上がることを防止し、肘掛け台１を机の天板２の前端部に確実に固定させることができる。
【００２９】
又、阻止ネジ８は、固定突出部４３のネジ孔４３ｂに螺着されているため、回転させることにより、固定突出部４３に対する上方への突出量を微調整することができる。これにより、天板２の厚さが若干異なる机においても阻止ネジ８を交換させることなく対応させることができ、汎用性を向上させることができる。
【００３０】
又、阻止ネジ８の上端を本体突出部３２の後方部３３の下面に当接させる構造を採用しているため、肘掛け本体３の上面が存する平面と下面当接部４１の下面が存する平面との間の空間を有効活用して阻止ネジ８の下端部に把持部としてのハンドル８１を設けることができる。これにより、使用者が工具を用いることなくハンドル８１を把持して阻止ネジ８を容易に回転させることができ、固定突出部４３に対する上方への阻止ネジ８の突出量の微調整を容易に行うことができる。
【００３１】
尚、実施形態においては、締付機構として、上面当接部３１の下面に設けられた支持ナット３ｂと、支持ナット３ｂに螺着される棒状ネジ５と、棒状ネジ５に螺着される蝶ナット７とで構成されるものを説明しているが、本考案の締付機構はこれに限られるものではない。例えば、棒状ネジ５と蝶ナット７に代えて蝶ネジやボルト等のヘッド部を有するヘッド付ネジを用いても同様に本発明の効果を得ることができる。この場合、ヘッド付ネジを支持ナット３ｂに螺着させて締め付け、固定板４を肘掛け本体３に対して上昇させればよい。
【００３２】
又、締付機構は、例えば、本体突出部３２に貫通孔を形成し、この貫通孔に挿通されるヘッド付ネジを固定突出部４３に設けられた支持ナットに螺着させて構成してもよい。この場合、本体突出部３２の貫通孔の上側開口縁部にヘッド付ネジのヘッド部を受け入れる座ぐり穴を設ければ、ヘッド部が肘掛け本体３の上面よりも上方に突出せず、使用者が肘を肘掛け本体に載せた際に肘がヘッド部と接触することを抑制できる。
【００３３】
又、実施形態においては棒状ネジ５が２つものもを説明しているが、棒状ネジは１つでも３つ以上であってもよい。又、肘掛け本体３と固定板４の材質はスチールに限られず、他の金属又は合成樹脂などでもよい。
【００３４】
又、実施形態においては、後方部３３の下面に先方へ突出する一対の支持片３３ａを設け、この支持片３３ａ，３３ａにより前方部３４が水平状態を維持するように下方から支えるものを説明した。しかしながら、支持片３３ａは、前方部３４の下面に後方へ突出させて設け、前方部３４が水平状態のときに、後方部３３の下面に当接するように構成してもよい。これによっても、前方部３４は上方へのみ揺動自在となる。
【図面の簡単な説明】
【００３５】
【図１】本考案の肘掛け台の実施形態を示す説明図。
【図２】図１のＩＩ−ＩＩ線切断断面図。
【符号の説明】
【００３６】
１…肘掛け台、  ２…天板、  ３…肘掛け本体、  ３ａ…ガイド板、  ３ｂ…支持ナット、  ３１…上面当接部、  ３２…本体突出部、  ３３…後方部、  ３３ａ…支持片、  ３４…前方部、  ３４ａ…ヒンジ、  ４…固定板、  ４１…下面当接部、  ４２…起立部、  ４３…固定突出部、  ４３ａ…貫通孔、  ４３ｂ…ネジ穴、  ５…棒状ネジ、  ６…筒状体、  ７…蝶ナット、  ８…阻止ネジ、  ８ａ…孔部、  ８１…ハンドル、  ８１ａ…抜止部、  ９…弾性材料。
【図１】
0003141877.tif 000003
【図２】
0003141877.tif 000004